(57)【要約】【課題】シートスキャン方式において、言語設定からデータ印刷までの操作手順を容易にし、マニュアルがなくても、途中に想定される操作ミスを違和感なく回避することができる印刷処理装置を提供する。【解決手段】ユーザが記入したマークに応じて、装置の制御方法を指定する装置制御シートを印刷し、ユーザが記入したマークに応じて、装置制御シートの言語を設定する言語設定シートを印刷し、原稿台に置かれている原稿を読み取り、読み取った装置制御シートを解析し、言語設定シートを解析し、言語設定シートを解析した結果に基づいて、言語を登録し、装置制御シートを解析した結果に基づいて、対象とする装置を制御し、言語を登録した後に、続けて、登録された言語で装置制御シートを印刷し、シートを検出できない場合に、言語が登録されていれば、装置制御シートを印刷し、言語が登録されていなければ、言語設定シートを印刷させる。【選択図】図７
2010041536.tif 000002
【特許請求の範囲】
【請求項１】
ユーザが記入したマークに応じて、装置の制御方法を指定する装置制御シートを印刷する手段と；
ユーザが記入したマークに応じて、上記装置制御シートの言語を設定する言語設定シートを印刷する手段と；
原稿台に置かれている原稿を読み取る読取手段と；
上記読取手段が読み取った上記装置制御シートを解析し、また、上記言語設定シートを解析する解析手段と；
上記装置制御シートの言語が登録されているかどうかを判定する言語登録判定手段と；
上記解析手段が言語設定シートを解析した結果に基づいて、言語を登録する言語登録手段と；
上記解析手段が装置制御シートを解析した結果に基づいて、対象とする装置を制御する装置制御手段と；
上記言語登録手段が言語を登録した後に、続けて印刷手段を用いて、登録された言語で上記装置制御シートを印刷し、上記解析手段がシートを検出できない場合に、言語が登録されていれば、上記装置制御シートを印刷し、言語が登録されていなければ、上記言語設定シートを印刷させる印刷制御手段と；
を有することを特徴とする印刷処理装置。
【請求項２】
請求項１において、
言語が登録された状態で出荷されるか、または、言語が登録されていない状態で出荷されることを特徴とする印刷処理装置。
【請求項３】
請求項１または請求項２において、
上記言語設定シートの印刷のみを実行する言語設定シート印刷指示手段を有し、上記装置制御手段を用いて印刷処理装置を制御する場合とは別に、言語を登録することを特徴とする印刷処理装置。
【請求項４】
請求項１〜請求項３のいずれか１項において、
画像データを印刷する印刷手段と；
記憶デバイスに記憶されている画像データを検出するデータ検出手段と；
を有し、
上記装置制御シートは、ユーザが記入したマークに応じて、画像データの指定、指定した画像データにおける印刷部数の設定、指定した画像データにおける印刷方法の指定を行うシートであり、
上記解析手段で上記装置制御シートを解析した結果に基づいて、上記データ検出手段が検出した画像データを、上記印刷する手段を用いて印刷することを特徴とする印刷処理装置。
【請求項５】
請求項４において、
上記データ検出手段が画像データを検出できなければ、いずれの処理も実行しないで終了することを特徴とする印刷処理装置。
【請求項６】
請求項４または請求項５において、
上記装置制御シートの解析または上記言語設定シートの解析を実行する前に、上記データ検出手段が画像データを検出できたかどうかを判定することを特徴とする印刷処理装置。
【請求項７】
請求項４〜請求項６のいずれか１項において、
上記データ検出手段が画像データを検出した場合、続けて上記読取手段を用いて原稿を読み取り、さらに言語が登録されているかどうかを上記言語登録判定手段が判定することを特徴とする印刷処理装置。
【請求項８】
請求項４〜請求項７のいずれか１項において、
上記記憶デバイスは、装置内部に固定的に構成され、画像データファイルを記憶可能な第１の記憶デバイスと、装置と着脱可能に構成されている画像データファイルを記憶可能な第２の記憶デバイスとの少なくとも一方であることを特徴とする印刷処理装置。
【請求項９】
請求項４〜請求項８のいずれか１項において、
上記記憶デバイスは、有線または無線で接続され、画像データファイルを記憶可能な外部デバイスであることを特徴とする印刷処理装置。
【請求項１０】
ユーザが記入したマークに応じて、装置の制御方法を指定する装置制御シートを印刷する工程と；
ユーザが記入したマークに応じて、上記装置制御シートの言語を設定する言語設定シートを印刷する工程と；
原稿台に置かれている原稿を読み取る読取工程と；
上記読取工程が読み取った上記装置制御シートを解析し、また、上記言語設定シートを解析する解析工程と；
上記装置制御シートの言語が登録されているかどうかを判定する言語登録判定工程と；
上記解析工程で言語設定シートを解析した結果に基づいて、言語を登録する言語登録工程と；
上記解析工程で装置制御シートを解析した結果に基づいて、対象とする装置を制御する装置制御工程と；
上記言語登録工程で言語を登録した後に、続けて印刷工程で、登録された言語で上記装置制御シートを印刷し、上記解析工程でシートを検出できない場合に、言語が登録されていれば、上記装置制御シートを印刷し、言語が登録されていなければ、上記言語設定シートを印刷させる印刷制御工程と；
を有することを特徴とする印刷処理方法。
【発明の詳細な説明】
【技術分野】
【０００１】
本発明は、言語設定シートの解析と印刷、及び装置制御シートの解析と印刷とを、自動的に切り替えるための印刷処理装置に関する。
【背景技術】
【０００２】
近年、読取手段と印刷手段とを備えた複合機（以下、「ＭＦＰ装置」という）が普及し、そのＭＦＰ装置の読取手段と印刷手段とを活かした機能が提案されている。その１つに、ユーザが鉛筆やペン等で記入したマークシートを読み取り、読み取ったマークシートを解析した結果に基づいて、印刷制御を行う技術（以下、「シートスキャン方式」）が開発されている。
【０００３】
このシートスキャン方式の例として、マークシートを使って所望の画像と印刷部数とを指定し、画像の印刷を行う機能が提案されている（たとえば、特許文献１参照）。さらに特許文献１記載の技術では、複数種類のマークシートが用いられ、読み取り時にマークシートの種類を判別し、判別したマークシートの種類に応じた制御を実現している。
【０００４】
また、マークシートを使って、ＭＦＰ装置の設定や画像の印刷方法を設定する機能も提案されている（たとえば、特許文献２参照）。
【０００５】
このように、マークシートを用いることによって、ユーザインタフェースによる操作が複雑で操作手順の指示を必要とするシーケンスにおいても、表示デバイスやキーデバイスなどのＭＦＰ装置のデバイス環境に左右されずに、簡単な操作を実現している。
【特許文献１】特許第３３４３２８０号公報
【特許文献２】特許第２８１８０４４号公報
【発明の開示】
【発明が解決しようとする課題】
【０００６】
しかし、上記のようにシートスキャン方式による簡単な操作を実現した場合でも、一部の操作が単純化されただけで、マークシートを使用する前後の操作に対しては操作手順を示す必要がある。たとえば、ある操作を行うために何を用意するべきか、何を設定するべきか、さらに、ある操作の処理に対して、その処理が成功したのか失敗したのか、失敗した理由は何であるかなどを、ユーザに知らせる手段が必要とされている。
【０００７】
もしユーザインタフェースが充実しているＭＦＰ装置であれば、表示デバイス等を用いて操作を指示することによって、ユーザはその指示に従って操作を行うことができる。その一方で、操作を指示することができるデバイスを備えていない装置では、操作を行う際にマニュアル等の補助が必要である。表示デバイスのような操作を指示するデバイスを備えていないこのような装置であっても、シートスキャン方式を用いたＭＦＰ装置では、マークシートを用いて操作手順を示すことができる。
【０００８】
ところで、このようにマークシートを用いて操作手順を示す場合、ユーザに適した言語によって手順を表記しなければならないが、ＭＦＰ装置を使用するユーザの母国語は１つの言語に限定できない。したがって、シートスキャン方式を用いたＭＦＰ装置においてマークシート上に文字を表記する場合、ユーザの使用する言語が複数存在することを想定して、ユーザが使用する言語をマークシートにより予め設定する必要がある。よってこの場合、マークシートに印刷される言語を設定するためのシートと、目的の処理を行うためのシートとの複数のシートが必要となる。
【０００９】
このように目的の処理を行わせるためのマークシートの他に言語を設定するためのシートが必要となるので、ユーザにとっては全体の操作手順が直感的に分かり難く、結局はマニュアル等の補助がないと判断が難しいという問題がある。
【００１０】
また、マークシートに表記される言語設定を行った場合、ユーザが指定したとおりの言語が設定されているかどうかを調べる手段を必要とし、煩雑であるという問題がある。さらに複数のマークシートにまたがってＭＦＰ装置を操作する場合、原稿台に読み取りが終わっているマークシートを置き忘れ、本来読み取られるべきマークシートが読み取られないことが想定される。この場合、マニュアル等の補助がなくても、マークシートの置き忘れをユーザに簡単に通知することが望まれている。
【００１１】
本発明は、シートスキャン方式において、言語設定からデータ印刷までの操作手順を容易にし、マニュアルがなくても、途中に想定される操作ミスを、ユーザにとって違和感なく回避することができる印刷処理装置を提供することを目的とする。
【課題を解決するための手段】
【００１２】
本発明は、ユーザが記入したマークに応じて、装置の制御方法を指定する装置制御シートを印刷する手段と、ユーザが記入したマークに応じて、上記装置制御シートの言語を設定する言語設定シートを印刷する手段と、原稿台に置かれている原稿を読み取る読取手段と、上記読取手段が読み取った上記装置制御シートを解析し、また、上記言語設定シートを解析する解析手段と、上記装置制御シートの言語が登録されているかどうかを判定する言語登録判定手段と、上記解析手段が言語設定シートを解析した結果に基づいて、言語を登録する言語登録手段と、上記解析手段が装置制御シートを解析した結果に基づいて、対象とする装置を制御する装置制御手段と、上記言語登録手段が言語を登録した後に、続けて上記印刷手段を用いて、登録された言語で上記装置制御シートを印刷し、上記解析手段がシートを検出できない場合に、言語が登録されていれば、上記装置制御シートを印刷し、言語が登録されていなければ、上記言語設定シートを印刷させる印刷制御手段とを有することを特徴とする印刷処理装置である。
【発明の効果】
【００１３】
本発明によれば、シートスキャン方式において、言語設定からデータ印刷までの操作手順を容易にし、マニュアルがなくても、途中に想定される操作ミスを、ユーザにとって違和感なく回避することができるという効果を奏する。
【発明を実施するための最良の形態】
【００１４】
発明を実施するための最良の形態は、次の実施例である。
【実施例１】
【００１５】
図１は、本発明の実施例１であるＭＦＰ装置１００の概観を示す斜視図である。
【００１６】
ＭＦＰ装置１００は、印刷処理装置の例であり、操作部１０１と、カードインタフェース１０２と、読取部１０３と、記録部１０４とを有する。
【００１７】
読取部１０３、記録部１０４を閉じた状態で設置し、コピーするときや、シートスキャン方式によって写真を印刷するときは、図１に示すように、読取部１０３、記録部１０４を開いて、ユーザが所望する機能を実行する。
【００１８】
図２は、ＭＦＰ装置１００の構成を示すブロック図である。なお、同一の構成には同一の符号を付してある。
【００１９】
ＭＦＰ装置１００は、操作部１０１と、カードインタフェース１０２と、読取部１０３と、記録部１０４と、ＣＰＵ２００と、ＲＯＭ２０１と、ＲＡＭ２０２と、不揮発性ＲＡＭ２０３と、画像処理部２０４と、駆動部２０５と、センサ部２０６とを有する。
【００２０】
ＣＰＵ２００は、ＭＦＰ装置１００が備える様々な機能を制御し、操作部１０１における所定の操作に従い、ＲＯＭ２０１に記憶されている画像処理のプログラムを実行する。ＲＯＭ２０１は、ＭＦＰ装置１００の制御命令プログラム等を格納している。
【００２１】
読取部１０３は、ＣＣＤを備え、このＣＣＤは、原稿画像を読み取り、赤（Ｒ）、緑（Ｇ）及び青（Ｂ）色のアナログ輝度データを出力する。なお、読取部１０３は、ＣＣＤの代わりに、密着型イメージセンサ（ＣＩＳ）を使用するようにしてもよい。
【００２２】
また、読取部１０３は、後述する装置制御シートや言語設定シート５００の読み取りにも使用される。
【００２３】
カードインタフェース１０２は、たとえばデジタルスチルカメラ（以下、「ＤＳＣ」という）で撮影され、メモリカードなどに記録されている画像データを、操作部１０１の所定の操作に応じて読み込む。
【００２４】
カードインタフェース１０２を介して読み込まれた画像データの色空間は、必要ならば、ＤＳＣの色空間（たとえばＹＣｂＣｒ）から、標準的なＲＧＢ色空間（たとえばＮＴＳＣ−ＲＧＢやｓＲＧＢ）に変換される。また、画像データを包括する画像ファイルに含まれているヘッダー情報に基づいて、読み込まれた画像データは、有効な画素数への解像度変換など、アプリケーションに必要な様々な処理が必要に応じて施される。
【００２５】
画像処理部２０４において、画像解析、サムネイル作成、サムネイル補正、出力画像補正等の画像処理が行われ、これらの画像処理によって得られた印刷データは、ＲＡＭ２０２に格納される。ＲＡＭ２０２に格納された印刷データが、記録部１０４で記録する場合に必要な所定量に達すると、記録部１０４による記録動作が実行される。
【００２６】
なお、上記画像処理では、記録用紙サイズや記録用紙タイプ、日付を付与する／しない、フチなし印刷する／しない等、様々な印刷設定によって、異なる印刷データが作成される。
【００２７】
また、不揮発性ＲＡＭ２０３は、バッテリバックアップされたＳＲＡＭなどであり、ＭＦＰ装置１００に固有のデータなどを記憶する。
【００２８】
操作部１０１は、記憶媒体に記憶された画像データを選択し、記録をスタートするために、シートスキャン方式によるシートスキャンスタートキー、モノクロコピー時やカラーコピー時におけるモノクロコピースタートキー、カラーコピースタートキーを有する。操作部１０１は、カラーコピースタートキー、コピー解像度や画質などのモードを指定するモードキー、コピー動作などを停止するためのストップキー、コピー数を入力するテンキーや登録キー、印刷する画像ファイル選択手段を指定するカーソルキー等を有する。ＣＰＵ２００は、これらキーの押下状態を検出し、この押下状態に応じて、各部を制御する。
【００２９】
記録部１０４は、インクジェット方式のインクジェットヘッド、汎用ＩＣなどによって構成され、ＣＰＵ２００の制御によって、ＲＡＭ２０２に格納されている記録データを読み出し、ハードコピーとして印刷出力する。
【００３０】
駆動部２０５は、読取部１０３、記録部１０４のそれぞれの動作において、給排紙ローラを駆動するためのステッピングモータと、ステッピングモータの駆動力を伝達するギヤと、ステッピングモータを制御するドライバ回路などによって構成されている。
【００３１】
センサ部２０６は、記録紙幅センサ、記録紙有無センサ、原稿幅センサ、原稿有無センサ、記録媒体検知センサ等によって構成されている。ＣＰＵ２００は、これらセンサから得られた情報に基づいて、原稿と記録紙との状態を検知する。
【００３２】
なお、ＭＦＰ装置１００は、図２に示す構成であるが、ＭＦＰ装置の構成について特に限定しない。たとえば、ＭＦＰ装置１００は、表示部を有しないが、表示部を有するようにしてもよい。
【００３３】
また、図２に示す例では、カードインタフェース１０２を用いて、メモリカードから画像データを読み込むが、装置内部に固定されている記憶デバイスや、有線または無線で接続され、外部の記憶デバイスから画像を読み込む構成であってもよい。
【００３４】
なお、記録部１０４は、ユーザが記入したマークに応じて、装置の制御方法を指定する装置制御シートを印刷する手段の例であり、また、ユーザが記入したマークに応じて、上記装置制御シートの言語を設定する言語設定シートを印刷する手段の例である。
【００３５】
読取部１０３は、原稿台に置かれている原稿を読み取る読取手段の例である。
【００３６】
ＣＰＵ２００は、上記読取手段が読み取った上記装置制御シートを解析し、また、上記言語設定シートを解析する解析手段の例であり、また、上記装置制御シートの言語が登録されているかどうかを判定する言語登録判定手段の例である。さらに、ＣＰＵ２００は、上記解析手段が言語設定シートを解析した結果に基づいて、言語を登録する言語登録手段の例であり、上記解析手段が装置制御シートを解析した結果に基づいて、対象とする装置を制御する装置制御手段の例である。しかも、ＣＰＵ２００は、上記言語登録手段が言語を登録した後に、続けて印刷手段を用いて、登録された言語で上記装置制御シートを印刷する印刷制御手段の例である。そして、ＣＰＵ２００は、上記解析手段がシートを検出できない場合に、言語が登録されていれば、上記装置制御シートを印刷し、言語が登録されていなければ、上記言語設定シートを印刷させる印刷制御手段の例である。
【００３７】
この場合、言語が登録された状態で出荷されるか、または、言語が登録されていない状態で出荷される。また、上記言語設定シートの印刷のみを実行する言語設定シート印刷指示手段を有し、上記装置制御手段を用いて印刷処理装置を制御する場合とは別に、言語を登録する。
【００３８】
さらに、上記実施例には、画像データを印刷する印刷手段と、記憶デバイスに記憶されている画像データを検出するデータ検出手段とが設けられている。また、上記装置制御シートは、ユーザが記入したマークに応じて、画像データの指定、指定した画像データにおける印刷部数の設定、指定した画像データにおける印刷方法の指定を行うシートである。上記解析手段で上記装置制御シートを解析した結果に基づいて、上記データ検出手段が検出した画像データを、上記印刷する手段を用いて印刷する。
【００３９】
しかも、上記データ検出手段が画像データを検出できなければ、いずれの処理も実行しないで終了する。そして、上記装置制御シートの解析または上記言語設定シートの解析を実行する前に、データ検出手段が画像データを検出できたかどうかを判定する。
【００４０】
加えて、上記データ検出手段が画像データを検出した場合、続けて上記読取手段を用いて原稿を読み取り、さらに言語が登録されているかどうかを上記言語登録判定手段が判定する。
【００４１】
また、上記記憶デバイスは、装置内部に固定的に構成され、画像データファイルを記憶可能な第１の記憶デバイスと、装置と着脱可能に構成されている画像データファイルを記憶可能な第２の記憶デバイスとの少なくとも一方である。さらに、上記記憶デバイスは、有線または無線で接続され、画像データファイルを記憶可能な外部デバイスである。
【００４２】
次に、実施例１の動作の概要について説明する。
【００４３】
図３は、実施例１において、マークシート３００の概要の説明図である。
【００４４】
シートスキャン方式による写真印刷機能は、図３に示すマークシート３００の印刷と、図４に示すマークシート３００の解析とを行うことによって、ユーザの所望の写真を印刷するものである。
【００４５】
シートスキャン方式による写真印刷を行う場合、ＭＦＰ装置１００に接続されたメモリカードに記録されている画像データ３０１が後述の決められたレイアウトに従って配されているマークシート３００が記録部１０４により印刷される。
【００４６】
図４は、マークシートの読取を説明する概要図である。
【００４７】
シートスキャン方式による写真印刷を行う場合、読取部１０３がマークシート３００をスキャンし、解析することによって、写真印刷結果４０１を得る。
【００４８】
次に、実施例１において、ユーザがシートスキャン方式を用いて、ＤＳＣで撮影した写真を、ＰＣを使わずに容易に印刷する（以下、「ダイレクト写真印刷」という）までの手順及びＭＦＰ装置１００の処理について説明する。
【００４９】
ダイレクト写真印刷で使用する装置制御シートは、画像データの指定、指定した画像データにおける印刷部数の設定、指定した画像データにおける印刷方法の指定など、印刷制御を行うものである（以下、「写真印刷指示シート」という）。
【００５０】
なお、「写真印刷指示シート」を印刷するためには、シートに記述される説明文言をどの言語にするのかが予め決まっている必要がある。実施例１では、ＭＦＰ装置１００が、どの言語で写真印刷指示シートを印刷するのかを、シートスキャン方式を用いて決定する。このシートを「言語設定シート」という。
【００５１】
＜言語設定シート５００＞
図５は、ＭＦＰ装置１００が印刷する言語設定シート５００を模式的に示す図である。
【００５２】
実施例１では、上記写真印刷指示シートと上記言語設定シートとを用いて、ダイレクト写真印刷を、ＭＦＰ装置１００で実行する。
【００５３】
言語設定シート５００は、ＭＦＰ装置１００が、どの言語で写真印刷指示シートを印刷するのかを、シートスキャン方式を用いて決定するためのシートであり、たとえば後述の写真印刷指示シート６００で使用する言語を設定するために用いられる。
【００５４】
図５に示す言語設定シート５００は、たとえばＡ４サイズの記録紙にレイアウトされた印刷物であり、操作指示部５０１と、言語選択部５０２とによって構成されている。
【００５５】
操作指示部５０１は、ユーザが言語設定シート５００を使った操作をスムーズに行えるように、操作の手順を記述するエリアである。たとえば、言語設定シート５００のマークの仕方や、マークを記入した後の言語設定シート５００を用いた操作方法を記述する。図５では、言語設定シート５００のマークの指示を設定することができる言語をそれぞれ用いて、記述されている。なお、実施例１では、操作指示部５０１に記述する内容については、特に限定していない。
【００５６】
言語選択部５０２は、写真印刷指示シートでユーザが使用したい言語をマークによって入力するエリアである。ここで選択できる言語は、図５に示す例では、日本語、英語、イタリア語であり、このうちの１つの言語を選択できる。言語選択部５０２で使用する言語は、選択可能な言語の記述を、それぞれの言語を用いて記述している。なお、実施例１では、言語選択部５０２で設定できる言語が、日本語、英語、イタリア語の３ヶ国語だけであるが、設定できる言語の数や種類は特に限定していない。
【００５７】
なお、実施例１では、操作指示部５０１、言語選択部５０２のレイアウト位置については、特に規定しないので、図５に示すレイアウト以外の仕様で、言語設定シート５００を構成するようにしてもよい。
【００５８】
上記のように、言語設定シート５００を用意することによって、表示部を持たないＭＦＰ装置であっても、ユーザの使用する言語が複数存在することを想定し、マークシート上の言語を予め設定する手段を設ける必要がない。
【００５９】
＜写真印刷指示シート６００＞
次に、写真印刷指示シート６００について説明する。
【００６０】
図６は、実施例１において、ＭＦＰ装置１００で印刷される写真印刷指示シート６００の内容を示す模式図である。
【００６１】
写真印刷指示シート６００は、たとえばＡ４サイズの記録紙にレイアウトされている印刷物である。写真印刷指示シート６００は、ダイレクト写真印刷を行う場合に必要な設定をシートスキャン方式によって実行するためのシートである。
【００６２】
実施例の写真印刷指示シート６００が指示する内容は、次の２つに大別される。すなわち、第１の指示は、記録部１０４が印刷データを印刷するために必要な印刷制御の内容を指示する印刷制御指示である。第２の指示は、メモリに記録されている画像データのどれを印刷対象とするかを指示する画像選択指示である。
【００６３】
次に、写真印刷指示シート６００の構成について説明する。
【００６４】
図６の写真印刷指示シート６００は、ヘッダー部６０１、画像選択部６０２、フッター部６０３、バーコード部６０４で構成されている。
【００６５】
ヘッダー部６０１は、マークによって、上記印刷制御指示を入力するためのエリアである。ここで指示できる印刷制御指示は、ＭＦＰ装置１００の記録部１０４と画像処理部２０４との仕様に依存する。そのために、ユーザは、ＭＦＰ装置１００の仕様に合致して予め与えられた選択肢の中から、所望の設定を選ぶ方法に適したマークシート方式を採用している。具体的には、図６に示すヘッダー部６０１の「印刷の設定」項目では、Ｌ判サイズ、２Ｌ判サイズ、Ａ４サイズ、ＬＴＲサイズのうちから、１つを選択できる仕様としている。
【００６６】
また、ヘッダー部６０１の「オプション設定」の項目として、印刷する画像の効果処理に関する選択肢が提供されている。図６では、日付、自動写真補正、顔明るく補正、赤目補正をいくつでも選択できる仕様としている。
【００６７】
なお、実施例１では、ヘッダー部６０１で設定する印刷制御の内容については、特に限定していない。「印刷の設定」や「オプション設定」は、図６に示す設定内容以外の設定内容であってもよく、言語設定シート５００で設定した言語によって、設定内容が異なってもよい。
【００６８】
画像選択部６０２は、メモリの画像データのうちで、印刷したい対象を、マークで入力するエリアである。ここで選択できる画像は、メモリに記憶され、かつ写真印刷指示シート６００において、縮小画像がレイアウトされている画像である。図６に示す画像選択部６０２では、画像「１」〜「３０」までの合計３０枚の画像を選択できる仕様としている。したがって、メモリに３１枚以上の画像データが存在すれば、写真印刷指示シート６００を２枚以上印刷する。なお、ここでは写真印刷指示シート６００の画像選択部６０２にレイアウト可能な画像枚数を３０画像としているが、この画像枚数は特に規定しない。
【００６９】
フッター部６０３は、ユーザが写真印刷指示シート６００にマーク記入した後の操作手順を説明している。実施例１の写真印刷指示シート６００には、フッター部６０３を設けているが、フッター部６０３のない仕様でもよい。
【００７０】
バーコード部６０４は、ヘッダー部６０１で指定された印刷制御指示以外に、ダイレクト写真印刷に必要な情報を含む。たとえば、写真印刷指示シート６００に含まれる画像データの総数（図６では３０画像）が、バーコード部６０４に含まれている。なお、実施例１では、バーコード部６０４の形式について特に限定しない。
【００７１】
なお、実施例１では、ヘッダー部６０１、画像選択部６０２、フッター部６０３、バーコード部６０４のレイアウト位置については、特に規定しないので、図６に示すレイアウト以外の仕様で、写真印刷指示シート６００を構成するようにしてもよい。また、写真印刷指示シート６００は、日本語で表記されているが、言語設定シート５００で設定した言語を用いて表記された写真印刷指示シート６００であってもよい。
【００７２】
＜全体フロー＞
次に、実施例１において、ユーザがシートスキャン方式を用いて、ＤＳＣで撮影した写真を印刷するダイレクト写真印刷の全体動作について説明する。
【００７３】
実施例１で使用するマークシートは、言語設定シート５００と写真印刷指示シート６００とであるとする。また、記憶デバイスとして、メモリカードを使用し、ＤＳＣで撮影した写真が保存されているメモリカードを、カードインタフェース１０２に挿入することによって、画像データを取得する。実施例１で使用する操作部１０１のキーデバイスは、シートスキャンスタートキーのみであるとする。
【００７４】
図７は、言語設定シート５００と写真印刷指示シート６００とを使用し、画像データが保存されているメモリカードを用い、ダイレクト写真印刷を行う場合におけるユーザ手順と装置処理とを示すフローチャートである。まず、ダイレクト写真印刷の概要を説明する。
【００７５】
ＭＦＰ装置１００のシートスキャンスタートキーが押下される（Ｓ７０１）と、Ｓ７０２〜Ｓ７０４で、画像データを検出する。画像データが検出されると、読取部１０３がマークシートを読み取り（Ｓ７０５）、ＭＦＰ装置１００にマークシートで使用する言語の登録がされているかどうかを判定する（Ｓ７０６）。写真印刷指示シート６００で使用する言語が、ＭＦＰ装置１００に登録がされていなければ、Ｓ７０７〜Ｓ７１１の処理を実行する。写真印刷指示シート６００で使用する言語が、ＭＦＰ装置１００に登録されていれば、Ｓ７１２〜Ｓ７１９の処理を実行する。
【００７６】
上記一連の処理を繰り返し実行することによって、ダイレクト写真印刷を実現する。
【００７７】
写真印刷指示シート６００で使用する言語が、たとえば出荷時に未登録であるＭＦＰ装置１００について説明する。具体的には、カードインタフェース１０２にメモリカードを挿入し、ユーザがシートスキャンスタートキーを押下し、初めてダイレクト写真印刷を開始した場合の手順を説明する。
【００７８】
始めは、言語設定シート５００と写真印刷指示シート６００とは、ともに用意されていないので、読取部１０３にマークシートが設置されていない状態で、ユーザは、シートスキャンスタートキーを押下する（Ｓ７０１）。すると、ＭＦＰ装置１００は、メモリカード内の画像データを検出し、印刷対象となる画像データが存在するかどうかを調べ、ダイレクト写真印刷が実行できる状態であるかどうかを判定する（Ｓ７０２、Ｓ７０３）。画像データを検出した後に、ＭＦＰ装置１００は、言語登録が行われていないので、言語設定シート５００を印刷する（Ｓ７１１）。
【００７９】
ユーザはＳ７１１で出力された言語設定シート５００を介して言語を設定する必要があることを理解できる。そして言語設定シート５００にマークを記入し、読取部１０３に言語設定シート５００を設置して、再びシートスキャンスタートキーを押下する（Ｓ７０１）。これによってＭＦＰ装置１００は、言語設定シート５００を解析して、ユーザが指示したように言語を設定し、設定された言語を用いて、続けて写真印刷指示シート６００を印刷する（Ｓ７１０）。
【００８０】
ユーザは出力された写真印刷指示シート６００から、写真の印刷設定が必要であることを理解できる。そして写真印刷指示シート６００にマークを記入し、読取部１０３に写真印刷指示シート６００を設置して、シートスキャンスタートキーを再び押下する（Ｓ７０１）。これによって、ＭＦＰ装置１００は、写真印刷指示シート６００を解析し、ユーザが指定した写真を印刷する。
【００８１】
一方で、出荷時に写真印刷指示シート６００で使用する言語が登録済であるＭＦＰ装置１００で、カードインタフェース１０２にメモリカードを挿入し、ユーザがシートスキャンスタートキーを押下し、ダイレクト写真印刷を初めて開始した場合、次のようになる。
【００８２】
始めは、言語設定シート５００と写真印刷指示シート６００とは、ともに用意されていないので、読取部１０３にマークシートが設置されていない状態で、ユーザは、シートスキャンスタートキーを押下する（Ｓ７０１）。すると、ＭＦＰ装置１００は、メモリカード内の画像データを検出し、印刷対象となる画像データが存在するかどうかを調べ、ダイレクト写真印刷が実行できる状態であるかどうかを判定する（Ｓ７０２、Ｓ７０３）。画像データを検出した後に、ＭＦＰ装置１００は、言語が登録済であるので、登録されている言語を用いて、写真印刷指示シート６００を印刷する（Ｓ７１９）。
【００８３】
ユーザは、出力された写真印刷指示シート６００を見れば、写真の印刷設定が必要であることを理解できる。そして写真印刷指示シート６００にマークを記入して読取部１０３に写真印刷指示シート６００を設置し、シートスキャンスタートキーを再び押下する（Ｓ７０１）。これによって、ＭＦＰ装置１００は、写真印刷指示シート６００を解析し、ユーザが指定した写真を印刷する。
【００８４】
なお、たとえば本実施例におけるＭＦＰ装置を、使用言語が限られると予想される地域へ出荷する場合、その使用言語が登録されているＭＦＰ装置１００を出荷する。また使用言語が複数存在すると予想される地域へ出荷する場合、言語が登録されていないＭＦＰ装置１００を出荷することが考えられる。
【００８５】
その場合、図７で示した処理手順に従えば、出荷時に使用される言語が登録されていなければ、ユーザはシートスキャンキーを押下するだけで言語設定シートが自動的に印刷される。また出荷時に使用される言語が登録されていれば、ユーザはシートスキャンキーを押下するだけで写真印刷指示シートが自動的に印刷される。
【００８６】
よって実施例１では、ＭＦＰ装置１００において、出荷時に写真印刷指示シート６００で使用する言語が登録済である場合、不要となる言語設定を行わなくて済むという効果がある。
【００８７】
次に、ダイレクト写真印刷のフロー詳細を説明する。
【００８８】
＜Ｓ７０１〜Ｓ７０４＞
シートスキャンスタートキーが押下されてから、画像データを検出するまでの処理（Ｓ７０１〜Ｓ７０４）について説明する。
【００８９】
Ｓ７０１で、ユーザが、操作部１０１にあるシートスキャンスタートキーを押下すると、カードインタフェース１０２内に挿入されているメモリカード内の画像データを検出する（Ｓ７０２）。次に、Ｓ７０２の検出の結果、メモリカード内に画像データが存在したかどうかを判定する（Ｓ７０３）。つまり、Ｓ７０２では、メモリカードへのアクセスを試み、Ｓ７０３では、その結果である画像データの有無に応じて、その後の処理を分岐させる。
【００９０】
Ｓ７０３で、画像データが検出されなければ、いずれの処理も行わずに終了する（Ｓ７０４）。
【００９１】
なお、メモリカード内に画像データが存在するかどうかの判定（Ｓ７０３）は、マークシートを使った処理を行う前に、必ず実行される。これによって、メモリカード内に読み取り可能な画像データが存在しているかどうか、またはメモリカードが挿入されていないことを、ユーザに知らせる。たとえば、メモリカードをカードインタフェース１０２に挿さずに、シートスキャンスタートキーを押し、ダイレクト写真印刷を開始した場合、メモリカードを始めに用意する必要があることを、ユーザに知らせる。
【００９２】
＜Ｓ７０５、Ｓ７０６＞
Ｓ７０３で、画像データが検出された場合に実行される言語判定までの処理（Ｓ７０５、Ｓ７０６）について説明する。
【００９３】
Ｓ７０３で、画像データが検出されると、続けて読取部１０３がマークシートを読み取る（Ｓ７０５）。次に、写真印刷指示シート６００で使用する言語が、ＭＦＰ装置１００に登録されているかどうかを判定する（Ｓ７０６）。この言語登録判定（Ｓ７０６）の結果によって、Ｓ７０５で読み取ったデータを、写真印刷指示シート６００、言語設定シート５００のどちらを対象にして解析するかを決定する。
【００９４】
＜言語登録処理（Ｓ７０７〜Ｓ７１１）＞
写真印刷指示シート６００で使用する言語が、ＭＦＰ装置１００に登録されていないとＳ７０６で判定すると、言語登録する（Ｓ７０７〜Ｓ７１１）。この言語登録について説明する。
【００９５】
写真印刷指示シート６００で使用する言語が、ＭＦＰ装置１００に登録されていないと、Ｓ７０５で読み取ったデータを、言語設定シート５００に基づいて解析する（Ｓ７０７）。言語設定シート５００を解析した結果、言語設定シート５００の解析が正しく行われたかどうかを判断し（Ｓ７０８）、正しく解析が行われれば、その解析結果に基づいて、写真印刷指示シート６００で使用する言語を、ＭＦＰ装置１００へ登録する（Ｓ７０９）。
【００９６】
図８は、実施例１における言語設定シート５００の記入例を示す図である。
【００９７】
たとえば、図５で説明した言語設定シート５００に、図８に示すように、マーキングされた場合について説明する。
【００９８】
この場合、言語選択部５０２でＥｎｇｌｉｓｈにマークされているので、写真印刷指示シート６００を印刷する場合、英語を用いるように設定する。
【００９９】
Ｓ７０９で、言語登録を行った後に、記録部１０４が、写真印刷指示シート６００を印刷する（Ｓ７１０）。これによって、Ｓ７１０で印刷された写真印刷指示シート６００を直接見て、言語設定シート５００でマークした言語が設定されたかどうかを調べ、言語を設定した後に、ユーザが指定した言語が設定されているかどうかを調べることができる。
【０１００】
Ｓ７０８で、読取部１０３の言語設定シート５００を検出できず、言語設定シート５００の解析が失敗した場合、記録部１０４が言語設定シート５００を印刷する（Ｓ７１１）。
【０１０１】
写真印刷指示シート６００で使用する言語が、出荷時に未登録であるＭＦＰ装置１００において、カードインタフェース１０２にメモリカードを挿入し、ユーザがシートスキャンスタートキーを押下し、ダイレクト写真印刷を開始した場合について説明する。
【０１０２】
ダイレクト写真印刷を初めて行う場合、言語設定シート５００と写真印刷指示シート６００とのいずれもが用意されていないので、読取部１０３には、マークシートが設置されない。したがって、ユーザが、シートスキャンスタートキーを押下した後に、言語設定シート５００を印刷し、言語の設定を始めに行うことを、ユーザに理解させる。
【０１０３】
なお、言語設定シート５００を印刷する手段の他に、操作部１０１に言語設定シート５００を印刷するための言語設定シート印刷キーを設け、この言語設定シート印刷キーを押下することによって、言語設定シート５００を印刷するようにしてもよい。たとえば、既に言語が登録されているＭＦＰ装置１００に、言語を再設定するために、言語設定シート５００を必要とする場合、言語設定シート印刷キーを押下すれば、言語設定シート５００を印刷することができる。
【０１０４】
＜ダイレクト写真印刷処理（Ｓ７１２〜Ｓ７１９）＞
Ｓ７０６で、写真印刷指示シート６００で使用する言語が、ＭＦＰ装置１００に登録されていると判定された場合、ダイレクト写真印刷の処理（Ｓ７１２〜Ｓ７１９）が実行され、これについて説明する。
【０１０５】
写真印刷指示シート６００で使用する言語が、ＭＦＰ装置１００に登録がされている場合、Ｓ７０５で読み取った写真印刷指示シート６００のデータを解析する（Ｓ７１２）。
【０１０６】
写真印刷指示シート６００を解析した結果、写真印刷指示シート６００を正しく解析したかどうかを判断し（Ｓ７１３）、正しく解析が行われた場合、その解析結果に基づいてメモリカード内の画像データを印刷する（Ｓ７１４）。
【０１０７】
図９は、実施例１において、写真印刷指示シート６００の記入例を示す図である。
【０１０８】
たとえば、図６で説明した写真印刷指示シート６００に、図９に示すように、マーキングされた場合について説明する。
【０１０９】
図９に示す例では、ヘッダー部６０１の「印刷の設定」は、２Ｌ判にマークされ、「オプション設定」は、日付、自動補正、赤目補正にマークされている。また、画像選択部６０２は、「２」「７」「８」「１５」「２１」「２８」「２９」の合計７画像がマークされている。フッター部６０３の「給紙口」は、後トレイがマークされている。このようにマークされた情報に基づいて、選択された７画像に画像処理を行い、後トレイにセットされている２Ｌ判の用紙に、選択された７画像を印刷する。
【０１１０】
Ｓ７１３で、読取部１０３が写真印刷指示シート６００を検出できず、写真印刷指示シート６００の解析が失敗した場合、読取部１０３に言語設定シート５００が設置されていることを想定して、続けて言語登録を行う。Ｓ７１５〜Ｓ７１８までの処理は、Ｓ７０７〜Ｓ７１０の処理と同様である。続けて、言語登録の処理を行うことによって、ＭＦＰ装置１００に、写真印刷指示シート６００で使用する言語の登録がされている場合でも、言語の再設定をすることができる。また、言語登録のために読取部１０３に設置されている言語設定シート５００を置き忘れた場合、Ｓ７１８で写真印刷指示シート６００を印刷することによって、写真印刷指示シート６００の読み取りを行うことを、ユーザに理解させる。
【０１１１】
Ｓ７１６で、読取部１０３の言語設定シート５００を検出できず、言語設定シート５００の解析に失敗した場合、写真印刷指示シート６００で使用する言語が既に登録されているので、記録部１０４が写真印刷指示シート６００を印刷する（Ｓ７１９）。
【０１１２】
たとえば、写真印刷指示シート６００で使用する言語の登録が行われているＭＦＰ装置１００で、カードインタフェース１０２にメモリカードを挿入し、ユーザがシートスキャンスタートキーを押下し、ダイレクト写真印刷を開始した場合を考える。ユーザが、読取部１０３にマークシートを置き忘れた場合、シートスキャンスタートキーを押下することによって写真印刷指示シート６００を印刷し、写真印刷指示シート６００を読み取らせることを、ユーザに理解させる。
【０１１３】
以上の処理によって、ただ１つのキーを押下した後に、言語登録判定（Ｓ７０６）による言語が登録済であるか否かを判断することと、マークシートを解析した結果に応じて、続けて次に使用するマークシートを印刷することを実現する。これによって、マークシートの処理を含めた全体の操作手順が直感的に分り易く、また、正しく解析ができない場合にマニュアル等の補助がなくてもユーザに分かり易く理解させることができる。
【０１１４】
なお、上記実施例において、手段を工程に置き換えれば、上記実施例を印刷処理方法として把握することができる。
【図面の簡単な説明】
【０１１５】
【図１】本発明の実施例１であるＭＦＰ装置１００の概観を示す斜視図である。
【図２】ＭＦＰ装置１００の構成を示すブロック図である。
【図３】実施例１において、マークシート３００の概要の説明図である。
【図４】マークシートの読取を説明する概要図である。
【図５】ＭＦＰ装置１００が印刷する言語設定シート５００を模式的に示す図である。
【図６】実施例１において、ＭＦＰ装置１００で印刷される写真印刷指示シート６００の内容を示す模式図である。
【図７】言語設定シート５００と写真印刷指示シート６００とを使用し、画像データが保存されているメモリカードを用い、ダイレクト写真印刷を行う場合におけるユーザ手順と装置処理とを示すフローチャートである。
【図８】実施例１における言語設定シート５００の記入例を示す図である。
【図９】実施例１において、写真印刷指示シート６００の記入例を示す図である。
【符号の説明】
【０１１６】
１００…ＭＦＰ装置、
１０１…操作部、
１０２…カードインタフェース、
１０３…読取部、
１０４…記録部、
２００…ＣＰＵ、
２０１…ＲＯＭ、
２０２…ＲＡＭ、
２０３…不揮発性ＲＡＭ、
２０４…画像処理部、
２０５…駆動部、
２０６…センサ部、
３００…マークシート、
３０１…メモリカード画像データ、
４０１…写真印刷結果、
５００…言語設定シート、
５０１…操作指示部、
５０２…言語選択部、
６００…写真印刷指示シート、
６０１…ヘッダー部、
６０２…画像選択部、
６０３…フッター部、
６０４…バーコード部。
【図１】
2010041536.tif 000003
【図２】
2010041536.tif 000004
【図３】
2010041536.tif 000005
【図４】
2010041536.tif 000006
【図５】
2010041536.tif 000007
【図６】
2010041536.tif 000008
【図７】
2010041536.tif 000009
【図８】
2010041536.tif 000010
【図９】
2010041536.tif 000011